(57)【特許請求の範囲】
【請求項１】
ＩＣタグを取付対象物に取り付けるＩＣタグの取付構造であって、
前記取付対象物に設けられた貫通孔と、
前記ＩＣタグを保持し、前記貫通孔を貫通するＩＣタグ保持部と、
前記ＩＣタグ保持部に対して前記取付対象物を挟んで一対設けられるとともに、前記取付対象物に干渉して前記ＩＣタグ保持部の前記取付対象物に対する移動を制限し、かつ、前記一対の少なくとも一方が前記ＩＣタグ保持部に対し着脱可能とされた移動制限部とを備えること
を特徴とするＩＣタグの取付構造。
【請求項２】
請求項１に記載のＩＣタグの取付構造において、
前記ＩＣタグ保持部は、その表面を凹ませて形成され前記ＩＣタグを収容するＩＣタグ収容部を備え、
前記着脱可能な移動制限部は、前記ＩＣタグ収容部の開口を閉塞して前記ＩＣタグ保持部に装着されること
を特徴とするＩＣタグの取付構造。
【請求項３】
請求項１又は請求項２に記載のＩＣタグの取付構造において、
前記ＩＣタグ保持部は、略円柱形状に形成されること
を特徴とするＩＣタグの取付構造。
【請求項４】
請求項２又は請求項３に記載のＩＣタグの取付構造において、
前記ＩＣタグ収容部の開口を閉塞する前記移動制限部は、少なくとも一部が透光性を有する材料によって形成されること
を特徴とするＩＣタグの取付構造。
【請求項５】
請求項２から請求項４までのいずれか１項に記載のＩＣタグの取付構造において、
前記ＩＣタグは、前記ＩＣタグ収容部に密閉されること
を特徴とするＩＣタグの取付構造。
【請求項６】
請求項１から請求項５までのいずれか１項に記載のＩＣタグの取付構造において、
前記取付対象物は、その表面であって前記貫通孔の開口の周囲を凹ませて形成された凹部を備え、前記移動制限部は、前記凹部に収容されること
を特徴とするＩＣタグの取付構造。
【請求項７】
ＩＣタグを保持し、取付対象物に設けられた貫通孔を貫通するＩＣタグ保持部と、
前記ＩＣタグ保持部に対して前記取付対象物を挟んで一対設けられるとともに、前記取付対象物に干渉して前記ＩＣタグ保持部の前記取付対象物に対する移動を制限し、かつ、前記一対の少なくとも一方が前記ＩＣタグ保持部に対し着脱可能とされた移動制限部と
を備えるＩＣタグ収容容器。
【発明の詳細な説明】
【技術分野】
【０００１】
本発明は、ＩＣタグを取付対象物に取り付けるＩＣタグの取付構造及びＩＣタグ収容容器に関するものである。
【背景技術】
【０００２】
ＩＣタグは、ＲＦＩＤ（Radio Frequency Identification）とも称され、個体の識別が可能な情報を保持するＩＣチップを備え、この情報を無線通信によって非接触に読み取りできるようになっている。
このようなＩＣタグは、例えば運送、工場工程管理、流通等の各分野において、商品等の管理に有用であり、例えば商品の梱包等に使用されるパレットにＩＣタグを添付し、このパレットに積載される商品の管理をパレット単位において行うシステムが知られている（例えば、特許文献１参照）。
【０００３】
パレットに対するＩＣタグの添付方法は、両面テープによる貼付という方法もあるが、ＩＣタグのパレットからの脱落を防止するという点においては、ＩＣタグをパレットに対してインサート成形することが確実である。
ここで、パレットは、例えばポリプロピレン、ポリエチレン等の合成樹脂材料によって形成され、破損した場合にはリサイクルされるが、材料のリサイクルの観点からするとＩＣチップ等を含むＩＣタグは、不純物であるため、パレットから除去する必要がある。
しかし、インサート成形されたＩＣタグをパレットから除去することは困難である。また、ＩＣタグが故障した場合にＩＣタグのみを交換することも困難である。
【０００４】
【特許文献１】特開平６−６４６４７号公報
【発明の開示】
【発明が解決しようとする課題】
【０００５】
本発明の課題は、ＩＣタグを取付対象物に対し確実に取り付けることができ、かつ、取付対象物への着脱が容易なＩＣタグの取付構造及びＩＣタグ収容容器を提供することである。
【課題を解決するための手段】
【０００６】
本発明は、以下のような解決手段により、前記課題を解決する。
請求項１の発明は、ＩＣタグを取付対象物に取り付けるＩＣタグの取付構造であって、前記取付対象物に設けられた貫通孔と、前記ＩＣタグを保持し、前記貫通孔を貫通するＩＣタグ保持部と、前記ＩＣタグ保持部に対して前記取付対象物を挟んで一対設けられるとともに、前記取付対象物に干渉して前記ＩＣタグ保持部の前記取付対象物に対する移動を制限し、かつ、前記一対の少なくとも一方が前記ＩＣタグ保持部に対し着脱可能とされた移動制限部とを備えることを特徴とするＩＣタグの取付構造である。
【０００７】
請求項２の発明は、請求項１に記載のＩＣタグの取付構造において、前記ＩＣタグ保持部は、その表面を凹ませて形成され前記ＩＣタグを収容するＩＣタグ収容部を備え、前記着脱可能な移動制限部は、前記ＩＣタグ収容部の開口を閉塞して前記ＩＣタグ保持部に装着されることを特徴とするＩＣタグの取付構造である。
請求項３の発明は、請求項１又は請求項２に記載のＩＣタグの取付構造において、前記ＩＣタグ保持部は、略円柱形状に形成されることを特徴とするＩＣタグの取付構造である。
請求項４の発明は、請求項２又は請求項３に記載のＩＣタグの取付構造において、前記ＩＣタグ収容部の開口を閉塞する前記移動制限部は、少なくとも一部が透光性を有する材料によって形成されることを特徴とするＩＣタグの取付構造である。
請求項５の発明は、請求項２から請求項４までのいずれか１項に記載のＩＣタグの取付構造において、前記ＩＣタグは、前記ＩＣタグ収容部に密閉されることを特徴とするＩＣタグの取付構造である。
請求項６の発明は、請求項１から請求項５までのいずれか１項に記載のＩＣタグの取付構造において、前記取付対象物は、その表面であって前記貫通孔の開口の周囲を凹ませて形成された凹部を備え、前記移動制限部は、前記凹部に収容されることを特徴とするＩＣタグの取付構造である。
請求項７の発明は、ＩＣタグを保持し、取付対象物に設けられた貫通孔を貫通するＩＣタグ保持部と、前記ＩＣタグ保持部に対して前記取付対象物を挟んで一対設けられるとともに、前記取付対象物に干渉して前記ＩＣタグ保持部の前記取付対象物に対する移動を制限し、かつ、前記一対の少なくとも一方が前記ＩＣタグ保持部に対し着脱可能とされた移動制限部とを備えるＩＣタグ収容容器である。
【発明の効果】
【０００８】
以上説明したように、本発明によれば、以下のような効果がある。
（１）ＩＣタグ保持部に対し取付対象物を挟んで一対設けられた移動制限部がＩＣタグ保持部の取付対象物に対する移動を制限するから、ＩＣタグの取付対象物からの脱落を防止できる。また、移動制限部をＩＣタグ保持部に対し着脱可能としたから、これを取り外すことによって、ＩＣタグ保持部の取付対象物に対する移動の制限を解除でき、ＩＣタグ保持部を取付対象物から容易に取り外すことができる。
（２）着脱可能な移動制限部によってＩＣタグ収容部の開口を閉塞したから、この移動制限部をＩＣタグ保持部から取り外すことによって、ＩＣタグ保持部を取付対象物から取り外すことができるとともに、ＩＣタグをＩＣタグ収容部から取り外すことも可能となる。したがって、例えばＩＣタグが故障した場合等のＩＣタグの交換作業を迅速に行うことができる。
【発明を実施するための最良の形態】
【０００９】
本発明は、ＩＣタグを取付対象物に対し確実に取り付けることができ、かつ、取付対象物への着脱が容易なＩＣタグの取付構造及びＩＣタグ収容容器を提供するという目的を、パレットに形成された貫通孔を貫通するＩＣタグ保持部の一方の端部にＩＣタグを収容する凹部の開口を閉塞するキャップをＩＣタグ保持部の他方の端部にストッパを装着することによって実現する。
【実施例】
【００１０】
以下、図面を参照して、本発明の実施例をあげて、さらに詳しく説明する。
図１は、本発明が適用されたＩＣタグの取付構造の実施例を示すパレット及びケースの斜視図である。図２は、図１のケース及びＩＣタグを示す図であり、（ａ）は、インレットの平面図、（ｂ）は、ＩＣタグの平面図、（ｃ）は、ケースの分解斜視図である。図３は、ケースが装着された状態における図１のパレットのＡ−Ａ矢視断面図である。
実施例のＩＣタグの取付構造は、カード型のＩＣタグ１をケース３０に収容し、このケース３０をパレット１００に装着するものである。
【００１１】
パレット１００は、例えば種々の荷物を積載、梱包し、複数の工場等の間において流通されるものであり、ＩＣタグ１が取り付けられる取付対象物である。
このパレット１００は、例えばポリプロピレン（ＰＰ）を用いて上方から見た平面形が略正方形状であるボード状に形成されており、側面部には、例えばフォークリフトのフォークが挿入されるフォーク孔が設けられている。
パレット１００は、貫通孔１０１、凹部１０２を備えている。
貫通孔１０１は、パレット１００の略中央部分をその厚さ方向に貫通して形成されている。この貫通孔１０１は、穿孔加工によって形成され、パレット１００の厚さ方向に直交する断面の形状が略円形状になっている。
凹部１０２は、パレット１００の表裏面に形成された開口（貫通孔１０１）の周囲を貫通孔１０１と略同心の円柱状に凹ませて形成されている（図３参照）。
この凹部１０２の凹み深さは、後述するキャップ５０、ストッパ６０に設けられた雌ネジ部５２、６２の突出高さより大きく設定されている。また、凹部１０２の径方向の寸法は、キャップ５０、ストッパ６０の径方向寸法より大きく設定されている。
【００１２】
ＩＣタグ１は、例えば１３．５６ＭＨｚの周波数帯域を用いた電磁誘導方式のものであり、図２（ｂ）に示すように、全体的にカード状に形成され、インレット１０、保護フィルム２０を備えている。
インレット１０は、図２（ａ）に示すように、インレット基材１１、アンテナ１２、ＩＣチップ１３を備えている。
インレット基材１１は、例えばＰＥＴ等の樹脂材料を用いて上方から見た平面形が略長方形であるシート状に形成されている。
【００１３】
アンテナ１２は、インレット基材１１の一方の面部の外周縁部に渦巻状に形成されたループアンテナである。このアンテナ１２は、例えば銅やアルミなどのエッチング加工により、あるいは、導電性を有するインクを使用した印刷によって形成される。
ＩＣチップ１３は、インレット基材１１のアンテナ１２が形成された面部に設けられている。アンテナ１２は、最も内周側の一部が切断されており、ＩＣチップ１３は、このアンテナ１２の切断部分の間に設けられ、図示しない電極がアンテナ１２に接続されている。このＩＣチップ１３は、パレット１００の個体の識別を可能にする固有番号等の情報を保持している。
【００１４】
保護フィルム２０は、図２（ｂ）に示すように、その平面形がインレット基材１１より各辺の長さ方向寸法が大きい略長方形状に形成された２枚のシート材からなり、インレット１０に対し層状に重ねて設けられ、インレット１０は、これらのシート材の間に収容される。保護フィルム２０の長辺、短辺の寸法は、それぞれ、例えば８６ｍｍ、５４ｍｍとなっている。
保護フィルム２０の一方の面部（印刷面部）には、識別番号及びバーコードが印刷されている。識別番号は、例えば各ＩＣタグ１に割り当てられた固有の番号である。バーコードは、例えばＩＣタグ１の読み取りができない場合等に備えてバックアップ用に設けられたものであり、パレット１００の個体を識別できる情報を保持している。
【００１５】
ケース３０は、ＩＣタグ１を収容するＩＣタグ収容容器であり、ＩＣタグ保持部４０、ストッパ５０、キャップ６０を備えている（図２（ｃ）参照）。
ＩＣタグ保持部４０は、パレット１００と同様に、例えばＰＰによって径方向寸法が上述の貫通孔１０１より小さい略円柱状に形成され、ＩＣタグ収容部４１、雄ネジ部４２を備えている。
ＩＣタグ収容部４１は、ＩＣタグ保持部４０における一方の端面の略中央部分を略円柱状に凹ませて形成され、ＩＣタグ１は、印刷面部とは反対側の面部が、ＩＣタグ収容部４１の底面に図示しない両面テープによって貼り付けられる。
雄ネジ部４２は、ＩＣタグ保持部４０の両端部の外周面にネジ山を設けることによって形成されている。
【００１６】
キャップ５０は、図３に示すように、上述のＩＣタグ保持部４０におけるＩＣタグ収容部４１が形成された側の端部に装着されるものであり、ＩＣタグ保持部４０と同様に、例えばＰＰによって形成され、基部５１、雌ネジ部５２、パッキン５３を備えている。
基部５１は、ＩＣタグ保持部４０より径方向寸法が大きい円盤状に形成され、透光性を有している。本明細書において「透光性」を有するとは、光を通過させる機能を有するという意味である。この基部５１は、略透明になっており、ＩＣタグ１は、ケース３０への収容状態において、印刷面部に印刷された識別番号、バーコードが外部から読み取り可能になっている。
雌ネジ部５２は、基部５１の外周縁部に基部５１と一体に成形された円環状の部分の内周面にネジ山が設けられることによって形成され、ＩＣタグ保持部４０の雄ネジ部４２とネジ結合するようになっている。
【００１７】
パッキン５３は、ゴム系の材料によって円環状に形成され、基部５１に接着剤によって接着されている。このパッキン５３は、キャップ５０の基部５１における雌ネジ部５２より内径側であって、ＩＣタグ保持部４０への装着状態おいてＩＣタグ保持部４０におけるＩＣタグ収容部４１が設けられた側の端面の周縁部と重なる位置に基部５１と略同心に配置されている。
パッキン５３は、キャップ５０がＩＣタグ保持部４０へ装着されることによって圧縮されて変形し、ＩＣタグ１をケース３０に密閉するようになっており、このケース３０は、例えば３気圧（３０３９ｈＰａ）の防水性能を備えている。
【００１８】
ストッパ６０は、円盤状の基部６１と、雌ネジ部６２とを備えている。この雌ネジ部６２は、キャップ５０の雌ネジ部５２と同様に基部６１の外周縁部に基部６１と一体に成形された円環状の部分の内周面にネジ山が設けられることによって形成され、ＩＣタグ保持部４０の雄ネジ部４２とネジ結合するようになっている。このストッパ６０を形成する材料は、特に限定されないが、例えばキャップ５０と同様にＰＰによって形成されている。
【００１９】
ケース３０をパレット１００に取り付ける際には、まずＩＣタグ１をＩＣタグ収容部４１に収容し、ＩＣタグ保持部４０のＩＣタグ収容部４１が形成された側の端部にキャップ５０を装着する。これによって、ＩＣタグ１は、ケース３０に密閉して収容される。
次いで、ＩＣタグ保持部４０をＩＣタグ収容部４１が形成された側とは反対側の端部側からパレット１００の貫通孔１０１に挿入し、この後、ストッパ６０をこの端部に装着する。これによって、キャップ５０及びストッパ６０がパレット１００を挟み込み、ＩＣタグ保持部４０のパレット１００に対する移動が制限され、キャップ５０及びストッパ６０は、移動制限部として機能する。
このときのキャップ５０及びストッパ６０は、パレットの凹部１０２に収容され、パレット１００の表裏面（設置面及び積載面）に突出しないようになっている。
【００２０】
以上説明したように、実施例のＩＣタグの取付構造によれば、以下の効果を奏することができる。
（１）ＩＣタグ保持部４０に装着されるキャップ５０及びストッパ６０によってパレット１００を挟み込んだから、ＩＣタグ保持部４０がパレット１００に対して移動する際に、このキャップ５０及びストッパ６０がパレット１００に干渉して、その移動を制限する。これによって、ＩＣタグ１（ＩＣタグ保持部４０）のパレット１００からの脱落を防止できる。また、キャップ５０、ストッパ６０をＩＣタグ保持部４０に対し着脱可能としたから、これを取り外すことによって、ＩＣタグ保持部４０のパレット１００に対する移動の制限が解除され、ＩＣタグ保持部４０をパレット１００から容易に取り外すことができる。
また、パレット１００に貫通孔１０１を穿孔するだけでよいから、予め貫通孔１０１が形成されていない既存のパレットにも容易に適用できる。
【００２１】
（２）キャップ５０は、ＩＣタグ１を収容するＩＣタグ収容部４１の開口を閉塞しているから、キャップ５０をＩＣタグ保持部４０から取り外すことによって、ＩＣタグ保持部４０をパレット１００から取り外すことができるとともに、ＩＣタグ１をＩＣタグ収容部４１（ＩＣタグ保持部４０）から取り外すことも可能となる。したがって、例えばＩＣタグ１が故障した場合等であっても、ＩＣタグ１の交換作業を迅速に行うことができる。また、ＩＣタグ１のみの交換が可能であるから、ケース３０を再利用することができる。
（３）ＩＣタグ保持部４０を略円柱状としたから、側面からの荷重に対して応力が特定の箇所に集中することを防止でき、ＩＣタグ保持部４０の破損を防止できる。
（４）キャップ５０を略透明にしたから、ＩＣタグ１をケース３０に収容した状態においても、ＩＣタグ１の印刷面部に印刷された識別番号、バーコードを読み取ることができる。
（５）キャップ３０にパッキン５３を設けて、ＩＣタグ１をケース３０に密閉したから、例えば、パレット１００を洗浄する際にケース３０が洗浄水に晒されたとしてもＩＣタグ１の故障を防止できる。
（６）パレット１００に凹部１０２を設けたから、キャップ５０及びストッパ６０が、パレット１００の設置面及び積載面に突出することを防止できる。
【００２２】
（変形例）
以上説明した実施例に限定されることなく、種々の変形や変更が可能であって、それらも本発明の均等の範囲内である。
（１）実施例は、ＩＣタグの取付対象物がパレットであったが、これに限らず、ＩＣタグの取付対象物は他のものであってもよく、例えば物流用のコンテナ等であってもよい。
（２）実施例は、貫通孔の周囲に凹部が形成されていたが、凹部は、取付対象物の形状に応じて省略してもよい。例えば、取付対象物が箱状に形成されたコンテナの蓋等である場合には、凹部を設けなくてもよい（図４参照）。
（３）実施例は、ＩＣタグ保持部がＰＰによって形成されていたが、これに限らず、ＩＣタグ保持部を他の材料によって形成してもよく、例えばポリエチレン、ＡＢＳ樹脂、ポリカーボネート等によって形成してもよく、また、これらの樹脂の混合材によって形成してもよい。
（４）実施例は、ケースがＩＣタグ保持部、キャップ、ストッパの３個のパーツを備えていたが、ケースの構成は、これに限らず、例えばストッパに相当する部分をＩＣタグ保持部と一体に成形して２個の部材からなる構成とし、ＩＣタグ保持部の貫通孔への挿入後にキャップを締めることによってケースをパレットに固定してもよい。
（５）実施例は、ＩＣタグがループアンテナを備える電磁誘導式のものであったが、これに限らず、ＩＣタグは、他の種類のものであってもよく、例えばダイポールアンテナを備えるＵＨＦ方式のものであってもよい。
【図面の簡単な説明】
【００２３】
【図１】本発明が適用されたＩＣタグの取付構造の実施例を示すパレット及びケースの斜視図である。
【図２】図１のケース及びＩＣタグを示す図である。
【図３】ケースが装着された状態における図１のパレットのＡ−Ａ矢視断面図である。
【図４】本発明のＩＣタグの取付構造の変形例を示す図である。
【符号の説明】
【００２４】
１  ＩＣタグ
３０  ケース
４０  ＩＣタグ保持部
４１  ＩＣタグ収容部
５０  キャップ
６０  ストッパ
１００  パレット
１０１  貫通孔
１０２  凹部
【図１】
0004765466.tif 000002
【図２】
0004765466.tif 000003
【図３】
0004765466.tif 000004
【図４】
0004765466.tif 000005